【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  ディザ像を処理するための逆ディザシステムにおいて、
予め選択された順序の複数のデジタルフィルタと、これらのデジタルフィルタに関連しているプロセッサとを備え、このプロセッサは、予め選択された順序に基づいて前記のデジタルフィルタの１つを選択してディザ像の現在選択された部分をフィルタし、そしてディザ像の現在選択された部分をその選択されたフィルタで処理して、逆ディザ像の選択された部分を発生し、
更に前記のプロセッサは、ディザ像の現在選択された部分内でディザ像の縁を越えるサポート領域を有する最も低い順序のデジタルフィルタを選択する
ことを特徴とする逆ディザシステム。
【請求項２】  前記のデジタルフィルタの各々は、水平方向に対称的なデジタルフィルタと水平方向に非対称的なデジタルフィルタ対の１つのデジタルフイルタの少なくとも一つを含む請求項１に記載のシステム。
【請求項３】  更に前記のプロセッサは、ディザ像のピクセルからディザ像の現在選択された部分を決定する請求項１に記載のシステム。
【請求項４】  更に前記のプロセッサは、ディザ像の現在選択された部分のビット深さを第１の振幅解像度から第２の振幅解像度へ増加し、そしてディザ像の現在選択された部分を前記の選択されたフィルタにより第２の振幅解像度で処理して、逆ディザ像の選択された部分を発生する請求項１に記載のシステム。
【請求項５】  前記のプロセッサは第１の振幅解像度から第２の振幅解像度へビット深さを増加するためにビット複写を使用する請求項４に記載のシステム。
【請求項６】  ディザ像を複数のチャンネルに分離して、各チャンネルが別々に逆ディザ処理されるようにするチャンネルセパレータと、
その分離された逆ディザチャンネルから再構成により逆ディザ像を発生するためのチャンネル合成器と、
を更に備えた請求項１に記載のシステム。
【請求項７】  更に前記のプロセッサは、複数のデジタルフィルタの中の１つを選択しそしてデジタルフィルタの現在選択された部分を処理するのに必要な変数を発生する請求項１に記載のシステム。
【請求項８】  ディザ象を受け取る段階、
所定の順序に基づいて複数のフィルタから少なくとも１つのフィルタを選択する段階、
この少なくとも１つの選択されたフィルタにより前記の受け取ったディザ像の選択された部分をフィルタする段階、そして
逆ディザ像の選択された部分を出力する段階
を備え、
前記の選択する段階は、ディザ像の予め選択された部分内の像の縁を除外するサポート領域を有する最も低い順序のフィルタを選択する段階を含むことを特徴とするディザ像を逆ディザ処理する方法。
【請求項９】  前記の選択する段階は、処理しようとするピクセルに関連したディザ像の部分を選択する段階を含み、その選択される部分は、複数の予め発生されたパラメータに基づいている請求項８に記載の方法。
【請求項１０】  前記の複数の予め発生されたパラメータを、複数のフィルタの中の最も大きなフィルタのフィルタ範囲に基づいて発生する段階を更に含む請求項９に記載の方法。
【請求項１１】  ディザ像の境界を越えて延びるディザ像の前記の選択された部分の一部分をゼロに等しくセットする段階を更に含む請求項９に記載の方法。
【請求項１２】  最も低い順序のフィルタを選択する段階が、更に、
前記の複数のフィルタから第１フィルタを選択する段階、
像の予め選択された部分内の第１フィルタのサポート領域が像の縁を含むかどうか決定する段階、そして
前に選択されたフィルタのサポート領域が像の縁を含むと決定された場合には次のフィルタを選択する段階
を含む請求項８に記載の方法。
【請求項１３】  前記の決定する段階は、一連の（ａ）１と０そして（ｂ）負の１と０の少なくとも一方を含むフィルタのサポート領域の差のマップパターンをサーチする段階を更に含む請求項１２に記載の方法。
【請求項１４】  前記の決定する段階は、フィルタのサポート領域の差のマップパターンを、像の縁を指示しない所定の差のマップパターンのグループと比較する段階を更に含む請求項１２に記載の方法。
【請求項１５】  ディザ像に基づいて所定の差のマップパターンを発生する段階を更に含む請求項１４に記載の方法。
【請求項１６】  前記のフィルタする段階は、ディザ像のビット深さを第１の振幅解像度から第２の振幅解像度へと増加する段階、そして
前記の選択されたフィルタで第２の振幅解像度の像をフィルタして逆ディザ像を発生する段階
を更に含む請求項８に記載の方法。
【請求項１７】ビット深さを増加する段階がビット複写を含む請求項１６に記載の方法。
【請求項１８】  前記のフィルタする段階は、
フィルタされた出力を前記の選択されたフィルタに対応する修正テーブルから選択する段階、そして
そのフィルタされた出力をディザ像に付加して、逆ディザ像を発生する段階
を更に含む請求項１６に記載の方法。
【請求項１９】  複数のフィルタの係数から修正テーブルを形成する段階を更に含む請求項１８に記載の方法。
【請求項２０】  ディザ像を複数のチャンネルに分離して各チャンネルが別々に逆ディザ処理されるようにする段階、そして
別々の逆ディザ処理したチャンネルを再結合して逆ディザ像を発生する段階
を更に含む請求項８に記載の方法。
【請求項２１】  プロセッサで読み取りできる記憶媒体と、
この記憶媒体に記憶されたプロセッサプログラムと、
を備え、
このプロセッサプログラムは、前記のプロセッサで読み取りできる媒体からプロセッサにより読み取りできるように構成されていて、それにより、前記のプロセッサを動作させて、
ディザ像を受け取り、
所定の順序に配列された複数のフィルタから少なくとも１つのフィルタを選択し、
その少なくとも１つの選択されたフィルタで前記の受け取ったディザ像の一部分をフィルタし、そして
逆ディザ像の選択された部分を出力させ、
前記のプロセッサプログラムは、像の広域部分内の像の縁を含まないサポート領域を有する最も低い順位のフイルタを前記のプロセッサに選択させるように構成されている
ことを特徴とするディザ像を処理する製品。
【請求項２２】  処理しようとする各ピクセルに関連したディザ像の一部分を、複数の予め発生されたパラメータに従って前記のプロセッサに選択させるように更に前記のプロセッサプログラムが構成されている請求項２１に記載の製品。
【請求項２３】  一連の（ａ）１と０そして一連の（ｂ）負の１と０の少なくとも一方を含む領域に対しサポート領域の差のマップパターンをサーチすることにより、前記の選択された少なくとも１つのフィルタのサポート領域内に像の縁が存在するかどうかを前記のプロセッサに決定させるように更に前記のプロセッサプログラムが構成されている請求項２１に記載の製品。
【請求項２４】  フィルタのサポート領域の差のマップパターンを像の縁を指示しない１つもしくはそれ以上の所定の差のマップパターンと前記のプロセッサに比較させるように更に前記のプロセッサプログラムが構成されている請求項２１に記載の製品。
【請求項２５】  前記のプロセッサに、
ディザ像のビット深さを第１の振幅解像度から第２の振幅解像度へ増加させ、そして
選択されたフィルタにより第２の振幅解像度の像をフィルタして、逆ディザ像を発生させる
ように更に前記のプロセッサプログラムが構成されている請求項２１に記載の製品。
【請求項２６】  前記のプロセッサに、
ディザ像を複数のチャンネルに分離させ、各チャンネルが別々にフィルタされるようにさせ、そして
別々の逆ディザチャンネルを再結合させ、逆ディザ像を発生させる
ように更に前記のプロセッサプログラムが構成されている請求項２１に記載の製品。
【請求項２７】  命令を実行するプロセッサと、このプロセッサに接続され、命令を記憶する記憶装置とを備え、これらの命令によりプロセッサは、
所定の順序に従って複数のフイルタから少なくとも一つのフイルタを選択し、その選択された少なくとも一つのフイルタは、像の予め選択された部分内で像の縁を排除しているサポートの領域を有する最も低い順位のフイルタであり、
その少なくとも一つの選択されたフイルタに従ってディザ像の選択部分をフイルタし、そして
逆ディザ像の選択部分を発生させる
ことを特徴としたディザ像を逆ディザ処理するコンピュータシステム。
【請求項２８】  複数の命令によりプロセッサは、
複数のフイルタから第１のフイルタを選択し、
像の予め選択された部分内で当該第１のフイルタのサポート領域が像の縁を含んでいるか否かを決定し、そして
予め選択されたフイルタのサポートの領域が像の縁を含むよう決定されていれば、次のフイルタを選択する
ようにした請求項２７に記載のコンピュータシステム。
【請求項２９】  複数の命令によりプロセッサは、
一連の（ａ）１と０そして一連の（ｂ）負の１と０の少なくとも一方を含むフイルタのサポートの領域の差のマップパターンをサーチする請求項２７に記載のコンピュータシステム。